(57)【要約】【課題】本発明は、画質を劣化させることなく出力可能な汎用性の高い車載機器を提案する。【解決手段】フロントパネル３に設けられ、アナログオーディオ信号又はアナログ映像信号を入力するAUX/VIN端子９と、AUX/VIN端子９と接続されアナログ映像信号に所定の信号処理を施す映像処理回路２２と、AUX/VIN端子９と接続されアナログオーディオ信号に所定の信号処理を施す音声処理回路２４と、AUX/VIN端子９と映像処理回路２２との間に設けられたアナログ映像信号に対するインピーダンス整合用抵抗Ｒ１と、インピーダンス整合用抵抗Ｒ１と接続されたトランジスタＴｒ１とを有する入力制御回路２１と、AUX/VIN端子９を介してアナログ映像信号が供給されたとき、トランジスタＴｒ１をオン動作させることによりインピーダンス整合用抵抗Ｒ１を介してインピーダンスマッチングさせるマイクロコンピュータ３０とを設ける。【選択図】図６
2011098662.tif 000002
【特許請求の範囲】
【請求項１】
所定サイズのフロントパネルを有する本体部と、
上記フロントパネルに設けられ、外部から供給されるアナログ音声信号又はアナログ映像信号を入力するアナログ入力端子と、
上記アナログ入力端子と接続され、上記アナログ映像信号に対して所定の信号処理を施す映像処理回路と、
上記アナログ入力端子と接続され、上記アナログ音声信号に対して所定の信号処理を施す音声処理回路と、
上記アナログ入力端子と上記映像処理回路との間に設けられた上記アナログ映像信号に対するインピーダンス整合用の抵抗と、上記インピーダンス整合用の抵抗と接続されたスイッチング素子としてのトランジスタとを有する入力制御回路と、
上記アナログ入力端子を介して供給されるのが上記アナログ映像信号であるとき、上記トランジスタをオン動作させることにより上記インピーダンス整合用の抵抗を介してインピーダンスマッチングさせるマイクロコンピュータと
を具える車載機器。
【請求項２】
上記マイクロコンピュータは、上記アナログ入力端子を介して供給されるのが上記アナログ音声信号であるとき、上記トランジスタをオフ動作させることにより上記アナログ音声信号を上記音声処理回路へ入力させる
請求項１に記載の車載機器。
【請求項３】
上記インピーダンス整合用の抵抗と上記映像処理回路及び上記音声処理回路とは並列接続されている
請求項２に記載の車載機器。
【請求項４】
上記映像処理回路の入力インピーダンス及び上記音声処理回路の入力インピーダンスは、上記インピーダンス整合用の抵抗に比べて無視できる程度の大きい値である
請求項３に記載の車載機器。
【請求項５】
上記フロントパネルに設けられ、上記外部から供給されるディジタル音声データを入力するディジタル入力端子と
を具える請求項４に記載の車載機器。
【請求項６】
車載機器と、当該車載機器と接続されるプレーヤとからなる車載機器システムであって、
上記車載機器は、
所定サイズのフロントパネルを有する本体部と、
上記フロントパネルに設けられ、上記プレーヤから供給されるアナログ音声信号又は上記プレーヤから供給されるアナログ映像信号を入力するアナログ入力端子と、
上記アナログ入力端子と接続され、上記アナログ映像信号に対して所定の信号処理を施す映像処理回路と、
上記アナログ入力端子と接続され、上記アナログ音声信号に対して所定の信号処理を施す音声処理回路と、
上記アナログ入力端子と上記映像処理回路との間に設けられた上記アナログ映像信号に対するインピーダンス整合用の抵抗と、上記インピーダンス整合用の抵抗と接続されたスイッチング素子としてのトランジスタとを有する入力制御回路と、
上記アナログ入力端子を介して供給されるのが上記アナログ映像信号であるとき、上記トランジスタをオン動作させることにより上記インピーダンス整合用の抵抗を介してインピーダンスマッチングさせるマイクロコンピュータと
を具える車載機器システム。
【発明の詳細な説明】
【技術分野】
【０００１】
本発明は、車載機器及び車載機器システムに関し、例えば車載用のカーオーディオ装置に適用して好適なものである。
【背景技術】
【０００２】
従来、カーオーディオ装置においては、外部の携帯型プレーヤを接続するため、音声入力用の３極プラグに対応した外部入力端子が設けられることが多くなっている。
【０００３】
また、携帯型プレーヤにおいては、音楽を再生するだけではなく、動画を再生できるようにもなってきている。しかしながら携帯型プレーヤでは、自身の画面が小さいため、外部の大きなモニタへ映像出力することが一般的になりつつある。
【０００４】
ここでカーオーディオ装置に接続された大型のモニタで携帯型プレーヤの映像を見るためには、当該カーオーディオ装置に映像用の入力端子が新たに必要となるが、フロントパネルの大きさが限られている関係上、新たな入力端子を増設することは困難である。
【０００５】
この解決策として他社においては、特殊４極プラグ（音声Ｌ、音声Ｒ、ＧＮＤ及び映像）を使って物理的に映像信号と音声信号とを分け、映像の入力端子と音声の入力端子とを兼用する方法を採用している。
【０００６】
しかしながら、このような特殊４極プラグを用いる場合、一般的な３極プラグよりもコストアップしてしまうと共に汎用性が無くなってしまう。
【０００７】
一方、一般用ＡＶ複合ジャックと、ナビゲーション・システム用ＡＶ複合ジャックとを兼用し、アナログのスイッチ回路により切り換える車載用表示装置が提案されている（例えば特許文献１）。
【先行技術文献】
【特許文献】
【０００８】
【特許文献１】特開平9-37189号公報
【発明の概要】
【発明が解決しようとする課題】
【０００９】
ところで上述した特許文献１に記載された車載用表示装置においては、アナログのスイッチ回路を用いているため、当該スイッチ回路をオンした時の接触抵抗が大きく、出力インピーダンスが７５Ωと低い映像系では接触抵抗により映像信号の信号レベルが変動して安定しなくなり、画質が低下してしまうという問題があった。
【００１０】
本発明は以上の点を考慮してなされたもので、画質を劣化させることなく出力可能な汎用性の高い車載機器及び車載機器システムを提案しようとするものである。
【課題を解決するための手段】
【００１１】
かかる課題を解決するため本発明の車載機器においては、所定サイズのフロントパネルを有する本体部と、フロントパネルに設けられ、外部から供給されるアナログ音声信号又はアナログ映像信号を入力するアナログ入力端子と、アナログ入力端子と接続され、アナログ映像信号に対して所定の信号処理を施す映像処理回路と、アナログ入力端子と接続され、アナログ音声信号に対して所定の信号処理を施す音声処理回路と、アナログ入力端子と映像処理回路との間に設けられたアナログ映像信号に対するインピーダンス整合用の抵抗と、インピーダンス整合用の抵抗と接続されたスイッチング素子としてのトランジスタとを有する入力制御回路と、アナログ入力端子を介して供給されるのがアナログ映像信号であるとき、トランジスタをオン動作させることによりインピーダンス整合用の抵抗を介してインピーダンスマッチングさせるマイクロコンピュータとを設けるようにする。
【００１２】
これにより、アナログ入力端子を介してアナログ映像信号が供給されたとき、トランジスタをオン動作させることによって、インピーダンス整合用の抵抗を介してインピーダンスマッチングさせることができるので、従来のようなアナログのスイッチ回路を用いる場合に比べて接触抵抗が非常に小さく、信号レベルの変動を抑え画質劣化を防止することができる。
【００１３】
また本発明の車載機器システムにおいては、車載機器と、当該車載機器と接続されるプレーヤとからなる車載機器システムであって、車載機器は、所定サイズのフロントパネルを有する本体部と、フロントパネルに設けられ、プレーヤから供給されるアナログ音声信号から供給されるアナログ映像信号を入力するアナログ入力端子と、アナログ入力端子と接続され、アナログ映像信号に対して所定の信号処理を施す映像処理回路と、アナログ入力端子と接続され、アナログ音声信号に対して所定の信号処理を施す音声処理回路と、アナログ入力端子と映像処理回路との間に設けられたアナログ映像信号に対するインピーダンス整合用の抵抗と、インピーダンス整合用の抵抗と接続されたスイッチング素子としてのトランジスタとを有する入力制御回路と、アナログ入力端子を介して供給されるのがアナログ映像信号であるとき、トランジスタをオン動作させることによりインピーダンス整合用の抵抗を介してインピーダンスマッチングさせるマイクロコンピュータとを設けるようにする。
【００１４】
これにより、アナログ入力端子を介してアナログ映像信号が供給されたとき、トランジスタをオン動作させることによって、インピーダンス整合用の抵抗を介してインピーダンスマッチングさせることができるので、従来のようなアナログのスイッチ回路を用いる場合に比べて接触抵抗が非常に小さく、信号レベルの変動を抑え画質劣化を防止することができる。
【発明の効果】
【００１５】
本発明によれば、アナログ入力端子を介してアナログ映像信号が供給されたとき、トランジスタをオン動作させることによって、インピーダンス整合用の抵抗を介してインピーダンスマッチングさせることができるので、従来のようなアナログのスイッチ回路を用いる場合に比べて接触抵抗が非常に小さく、信号レベルの変動を抑え画質劣化を防止し得る車載機器及び車載機器システムを実現することができる。
【図面の簡単な説明】
【００１６】
【図１】カーオーディオシステムの全体構成を示す略線的斜視図である。
【図２】映像用２極プラグの構造を略線図である。
【図３】音声用３極プラグの構造を示す略線図である。
【図４】カーオーディオ装置の回路構成を示す略線的ブロック図である。
【図５】カーオーディオ装置における音声入力時の説明に供する略線図である。
【図６】カーオーディオ装置における映像入力時の説明に供する略線図である。
【図７】携帯型ディジタルプレーヤの回路構成を示す略線的ブロック図である。
【図８】アナログ音声入力時における信号の流れの説明に供する略線図である。
【図９】ディジタル音声入力時における信号の流れの説明に供する略線図である。
【図１０】アナログ映像入力時における信号の流れの説明に供する略線図である。
【発明を実施するための形態】
【００１７】
以下、発明を実施するための形態について説明する。なお、説明は以下の順序で行う。
１．実施の形態
２．他の実施の形態
【００１８】
＜１．実施の形態＞
［１−１．カーオーディオシステムの全体構成］
図１において、１は全体としてカーオーディオシステムを示し、カーオーディオ装置２と、当該カーオーディオ装置２に接続される携帯型ディジタルプレーヤ１００、当該カーオーディオ装置２に接続される携帯型アナログオーディオプレーヤ２００によって構成されている。
【００１９】
カーオーディオ装置２は、フロントパネル３と一体化された本体部３Ａが車両のダッシュボード（図示せず）に埋め込まれて装着されることを想定しており、ダッシュボードに装着された際にはフロントパネル３だけが主に露出した状態で用いられる。
【００２０】
実際上、このカーオーディオ装置２は、いわゆるＤＩＮ(Deutsche Industrie Normen :ドイツ連邦規格)サイズに準拠しており、横幅が約１７８[mm]、高さが約５０[mm]となる所謂１ＤＩＮサイズに本体部３Ａが形成されている。
【００２１】
フロントパネル３は、ユーザの回転操作及び押圧操作を受け付けるためのロータリコマンダ４、各種の操作ボタン群５、ユーザに対して各種情報を提供するためのＬＣＤ(Liquid Crystal Display)又は有機ＥＬ(Electroluminescence)等でなる表示部６とが設けられており、いわゆるユーザインタフェースとして機能するようになされている。
【００２２】
またフロントパネル３には、その表面の上側部分にＣＤ(Compact Disc)やＤＶＤ(Digital Versatile Disc)等のディスク状記録媒体を挿入するための挿入口７が設けられていると共に、当該表面の右側部分にＵＳＢ(Universal Serial Bus)端子８とＡＵＸ(Auxiliary)／ＶＩＮ(VideoIN)端子９とが並設されている。
【００２３】
なおカーオーディオ装置２は、本体部３Ａに対してスピーカ（図示せず）及び大型（例えば７インチ）のモニタ（図示せず）と接続されており、ディスク状記録媒体に対する再生結果の映像をモニタに表示すると共に、再生結果の音声をスピーカから出力するようになされている。
【００２４】
一方、携帯型ディジタルプレーヤ１００は、再生、停止、選択等の各種命令を入力するための操作部１００Ａと、再生対象がＣＤ等による音楽の場合に楽曲名、再生経過時間等の各種表示を行ったり、再生対象がＤＶＤ等による動画コンテンツの場合に再生映像等の表示を行うＬＣＤ又は有機ＥＬ等でなる表示部１００Ｂが設けられている。
【００２５】
なお携帯型ディジタルプレーヤ１００は、音声についてはＵＳＢコネクタ１１を介してディジタルオーディオデータとして出力する一方、映像については映像用２極プラグ１２を介してアナログ映像信号として出力する仕様である。
【００２６】
実際上、携帯型ディジタルプレーヤ１００は、ＵＳＢコネクタ１１がカーオーディオ装置２のＵＳＢ端子８に差し込まれ、映像用２極プラグ１２が当該カーオーディオ装置２のＡＵＸ／ＶＩＮ端子９に差し込まれることにより、カーオーディオ装置２と物理的及び電気的に接続される。
【００２７】
これにより携帯型ディジタルプレーヤ１００は、ＵＳＢコネクタ１１及びＵＳＢ端子８を介してディジタルオーディオデータをカーオーディオ装置２へ出力し、映像用２極プラグ１２及びＡＵＸ／ＶＩＮ端子９を介してアナログ映像信号を当該カーオーディオ装置２へ出力するようになされている。
【００２８】
ここで携帯型ディジタルプレーヤ１００では、再生対象に音楽が選択された場合、ＵＳＢコネクタ１１だけをカーオーディオ装置２と接続するだけで良く、再生結果のディジタルオーディオデータだけを当該カーオーディオ装置２へ出力する。
【００２９】
また携帯型ディジタルプレーヤ１００は、再生対象に動画コンテンツが選択された場合、当該動画コンテンツの映像部分についてはアナログ映像信号として映像用２極プラグ１２経由によりカーオーディオ装置２へ出力する。
【００３０】
このとき携帯型ディジタルプレーヤ１００は、当該動画コンテンツの音声部分についてはディジタルオーディオデータとしてＵＳＢコネクタ１１経由でカーオーディオ装置２へ出力する。
【００３１】
ここで図２に示すように、携帯型ディジタルプレーヤ１００の映像用２極プラグ１２は、その先端部分に映像信号端子１２Ｖが形成されていると共に、付根部分にグランド端子１２Ｇが形成された２極構成でなる。
【００３２】
一方、携帯型アナログオーディオプレーヤ２００（図１）は、再生、停止、選択等の各種命令を入力するための操作ボタン群２００Ａ、再生対象の楽曲名、アーティスト名、再生経過時間等の各種表示を行うＬＣＤ又は有機ＥＬ等でなる表示部２００Ｂが設けられている。なお、携帯型アナログオーディオプレーヤ２００は、再生結果をアナログオーディオ信号として出力するようになされている。
【００３３】
実際上、携帯型アナログオーディオプレーヤ２００は、音声用３極プラグ１３がカーオーディオ装置２のＡＵＸ／ＶＩＮ端子９に差し込まれることにより、カーオーディオ装置２と物理的及び電気的に接続される。
【００３４】
これにより携帯型アナログオーディオプレーヤ２００は、音声用３極プラグ１３（音声Ｌ、音声Ｒ、ＧＮＤ）及びＡＵＸ／ＶＩＮ端子９を介してアナログオーディオ信号を当該カーオーディオ装置２へ出力し、カーオーディオ装置２を介してアナログオーディオ信号に応じた音声をスピーカ出力するようになされている。
【００３５】
ここで図３に示すように、携帯型アナログオーディオプレーヤ２００の音声用３極プラグ１３は一般的な３極構造であり、その先端部分から付根部分へ向かって音声Ｌチャンネル端子１３Ｌ、音声Ｒチャンネル端子１３Ｒ及びグランド端子１３Ｇが形成された３極構成でなる。
【００３６】
因みに、携帯型ディジタルプレーヤ１００の映像用２極プラグ１２と携帯型アナログオーディオプレーヤ２００の音声用３極プラグ１３とは物理的サイズ等が同じであり、端子の配置構造が異なるだけであるため、双方ともにＡＵＸ／ＶＩＮ端子９に差し込むことが可能である。
【００３７】
すなわちＡＵＸ／ＶＩＮ端子９は、携帯型ディジタルプレーヤ１００の映像用２極プラグ１２と、携帯型アナログオーディオプレーヤ２００の音声用３極プラグ１３との双方を接続対象とすべく兼用するようになされている。
【００３８】
［１−２．カーオーディオ装置の回路構成］
図４に示すようにカーオーディオ装置２は、ＣＰＵ(Central Processing Unit)構成でなるマイクロコンピュータ（以下、これをマイコンと呼ぶ。）３０がＲＯＭ(Read Only Memory)から読み出し、ＲＡＭ(Random Access Memory)に立ち上げた基本プログラム等に従って全体の動作を統括制御するようになされている。
【００３９】
実際上、カーオーディオ装置２のマイコン３０は、フロントパネル３のＵＳＢ端子８にＵＳＢコネクタ１１が接続されたか否かを常時監視しており、当該ＵＳＢコネクタ１１が接続されたことを検出すると、携帯型ディジタルプレーヤ１００からＵＳＢコネクタ１１を介してディジタルオーディオデータＤ１を受け取り、これをＤＳＰ(Digital Signal Processor)３２へ送出する。
【００４０】
ＤＳＰ３２は、ディジタルオーディオデータＤ１に対して所定のデータ復号化処理等を施し、その結果得られるディジタルオーディオデータＤ２をディジタルアナログコンバータ３３へ送出する。
【００４１】
ディジタルアナログコンバータ３３は、ディジタルオーディオデータＤ２をアナログのオーディオ信号Ｓ３に変換し、これをセレクタ２５経由で電子ボリューム２６へ送出する。電子ボリューム２６は、ロータリコマンダ４に対する回転操作に応じた音量レベルにオーディオ信号Ｓ３を調整し、その結果得られるオーディオ信号Ｓ４をアンプ２７へ送出する。
【００４２】
アンプ２７は、オーディオ信号Ｓ４を所定レベルに増幅し、その結果得られるオーディオ信号Ｓ５をスピーカ２８へ送出することにより、当該オーディオ信号Ｓ５に応じた再生音声をスピーカ２８から出力する。
【００４３】
ここでカーオーディオ装置２のマイコン３０は、ＵＳＢ端子８を介してＵＳＢコネクタ１１の接続を検出した場合、セレクタ２５をＵＳＢ端子８側へ切り換え、ＵＳＢコネクタ１１の接続を検出していない場合、セレクタ２５を音声処理回路２４側へ切り換えるようになされている。
【００４４】
すなわち、ＵＳＢ端子８を介してＵＳＢコネクタ１１の接続を検出できた場合というのは、カーオーディオ装置２に対する接続対象が携帯型アナログオーディオプレーヤ２００ではなく携帯型ディジタルプレーヤ１００であることを意味する。
【００４５】
この場合カーオーディオ装置２のマイコン３０は、携帯型ディジタルプレーヤ１００において再生対象に音楽が選択されたとき、及び再生対象に動画コンテンツが選択されたときの何れであっても、音声に関してはＵＳＢコネクタ１１経由でディジタルオーディオデータＤ１が必ず入力されるので、セレクタ２５をＵＳＢ端子８側へ切り換える。
【００４６】
これに対してカーオーディオ装置２のマイコン３０は、ＵＳＢコネクタ１１の接続を検出していないときというのは、接続対象が携帯型アナログオーディオプレーヤ２００であって、ＵＳＢ端子８からディジタルオーディオデータＤ１が入力されないことを意味しているので、セレクタ２５を音声処理回路２４側へ切り換える。
【００４７】
実際上、カーオーディオ装置２のマイコン３０は、ＡＵＸ／ＶＩＮ端子９に携帯型アナログオーディオプレーヤ２００の音声用３極プラグ２３が接続された場合、ＵＳＢコネクタ１１の接続を検出することがないので、セレクタ２５を音声処理回路２４側へ切り換える。
【００４８】
このとき同時にカーオーディオ装置２のマイコン３０は、図５に示すように、スイッチング素子として用いられるＮＰＮ型のトランジスタＴｒ１と、インピーダンス整合に用いられるインピーダンス整合用抵抗Ｒ１とを含む入力制御回路２１を制御するようになされている。
【００４９】
ここでカーオーディオ装置２では、ＡＵＸ／ＶＩＮ端子９と接続された音声処理回路２４と、当該ＡＵＸ／ＶＩＮ端子９と接続された映像処理回路２２とが互いに並列に設けられており、当該ＡＵＸ／ＶＩＮ端子９と映像処理回路２２との接続線間に入力制御回路２１が設けられている。
【００５０】
入力制御回路２１は、実際にＡＵＸ／ＶＩＮ端子９に音声用３極プラグ１３が差し込まれたとき、音声Ｌチャンネル端子１３Ｌ及びグランド端子１３Ｇと電気的に接続されるようになされており、マイコン３０からの制御に応じてＡＵＸ／ＶＩＮ端子９からの入力を切り換えるようになされている。
【００５１】
因みに、入力制御回路２１は、ＡＵＸ／ＶＩＮ端子９に音声用３極プラグ１３が差し込まれたときであっても、音声用３極プラグ１３の音声Ｒチャンネル端子１３Ｒと電気的に接続されることはない。
【００５２】
入力制御回路２１のトランジスタＴｒ１は、そのコレクタが７５[Ω]のインピーダンス整合用抵抗Ｒ１を介して音声Ｌチャンネル端子１３Ｌに接続され、そのベースがベース抵抗Ｒ２を介してマイコン３０に接続されると共に、エミッタがグランド端子１３Ｇに接続されている。
【００５３】
なお、トランジスタＴｒ１は、ベースとＡＵＸ／ＶＩＮ端子９のグランド端子１３Ｇとの間に、当該トランジスタＴｒ１のベース電流を安定させるための抵抗Ｒ３が設けられている。
【００５４】
実際上、カーオーディオ装置２のマイコン３０は、ＡＵＸ／ＶＩＮ端子９に携帯型アナログオーディオプレーヤ２００の音声用３極プラグ１３が接続された場合で、ＵＳＢコネクタ１１の接続を検出しない場合、セレクタ２５を音声処理回路２４側へ切り換えると共に、入力制御回路２１のトランジスタＴｒ１をオフ動作させるようになされている。
【００５５】
ここでカーオーディオ装置２においては、映像処理回路２２の入力インピーダンスが３０[ＫΩ]であり、音声処理回路２４の入力インピーダンスが１０[ＫΩ]である場合を想定して以下説明するが、入力インピーダンスの値は必ずしもこれに限るものではない。
【００５６】
この場合、カーオーディオ装置２においては、入力制御回路２１のトランジスタＴｒ１がオフ動作なので、ＡＵＸ／ＶＩＮ端子９側からみれば、映像処理回路２２の入力インピーダンスはそのままの３０[ＫΩ]であり、音声入力側が映像入力側の影響を受けることはない。
【００５７】
従ってカーオーディオ装置２においては、音声用３極プラグ１３からのアナログオーディオ信号を音声処理回路２４及びセレクタ２５を介して電子ボリューム２６へ送出し、アンプ２７及びスピーカ２８を介して音声出力するようになされている。
【００５８】
ところでカーオーディオ装置２のマイコン３０は、ＡＵＸ／ＶＩＮ端子９に携帯型ディジタルプレーヤ１００の映像用２極プラグ１２が接続された場合で、かつＵＳＢ端子８に対してＵＳＢコネクタ１１の接続を検出していた場合、以下の制御を行う。
【００５９】
このときカーオーディオ装置２のマイコン３０は、図６に示すように、セレクタ２５をＵＳＢ端子８側へ切り換えると共に、入力制御回路２１のトランジスタＴｒ１をオン動作させるようになされている。
【００６０】
映像用２極プラグ１２では、音声用３極プラグ１３の音声Ｌチャンネル端子１３Ｌと対応する位置に映像信号端子１２Ｖが形成されており、音声Ｒチャンネル端子１３Ｒ及びグランド端子１３Ｇと対応する位置にグランド端子１２Ｇが形成されている。
【００６１】
従ってカーオーディオ装置２では、ＡＵＸ／ＶＩＮ端子９に携帯型ディジタルプレーヤ１００の映像用２極プラグ１２が接続された場合、入力制御回路２１のトランジスタＴｒ１におけるコレクタが７５[Ω]のインピーダンス整合用抵抗Ｒ１を介して映像信号端子１２Ｖと接続されると共に、エミッタがグランド端子１２Ｇに接続されることになる。
【００６２】
すなわちカーオーディオ装置２においては、入力制御回路２１のトランジスタＴｒ１がオン動作し、トランジスタＴｒ１のコレクタ・エミッタ間が導通したことにより、７５[Ω]のインピーダンス整合用抵抗Ｒ１が映像信号端子１２Ｖとグランドとの間に接続されることになる。
【００６３】
このときカーオーディオ装置２においては、ＡＵＸ／ＶＩＮ端子９側からアナログ映像信号の受け側となる入力制御回路２１及び映像処理回路２２全体をみたとき、その入力インピーダンスがほぼ７５[Ω]となる。
【００６４】
その結果、カーオーディオ装置２においては、映像用２極プラグ１２の映像信号端子１２Ｖからアナログ映像信号を出力するときの出力インピーダンス（７５[Ω]）と、アナログ映像信号の受け側となる入力制御回路２１及び映像処理回路２２全体の入力インピーダンス（ほぼ７５[Ω]）とを整合させ得るようになされている。
【００６５】
これによりカーオーディオ装置２のマイコン３０は、映像用２極プラグ１２からアナログ映像信号をＡＵＸ／ＶＩＮ端子９経由で受け取り、これを入力制御回路２１を介して映像処理回路２２へ送出する。
【００６６】
映像処理回路２２は、アナログ映像信号に対して所定の信号処理を施した後、そのアナログ映像信号をモニタ２３へ出力することにより再生映像を表示させる。
【００６７】
実際上、カーオーディオ装置２では、入力制御回路２１のインピーダンス整合用抵抗Ｒ１（７５[Ω]）と、映像処理回路２２（３０[ＫΩ]）とが並列に接続されており、入力制御回路２１及び映像処理回路２２全体の入力インピーダンスをＲｚとし、インピーダンス整合用抵抗Ｒ１（７５[Ω]）の抵抗値をＲＡとし、映像処理回路２２の入力インピーダンスをＲＢとした場合、次式
【００６８】
Ｒｚ＝ＲＡ・ＲＢ／（ＲＡ＋ＲＢ）                        ……（１）
で表される。
【００６９】
この（１）式に実際の数値を代入することにより、入力制御回路２１及び映像処理回路２２全体の入力インピーダンスＲｚは、７４．８１３[Ω]となり、ほぼ７５[Ω]と同じになる。
【００７０】
つまりカーオーディオ装置２では、映像用２極プラグ１２の映像信号端子１２Ｖからアナログ映像信号を出力するときの出力インピーダンス（７５[Ω]）と、入力制御回路２１及び映像処理回路２２全体の入力インピーダンス（７４．８１３[Ω]）とがほぼ整合されることになるので、映像信号の信号レベル変動による画質低下を予め回避し得るようになされている。
【００７１】
なおカーオーディオ装置２では、入力制御回路２１のインピーダンス整合用抵抗Ｒ１（７５[Ω]）に対して、実際には映像処理回路２２（３０[ＫΩ]）だけではなく音声処理回路２４も並列に接続されている。
【００７２】
従ってカーオーディオ装置２では、当該音声処理回路２４についても考慮し、（１）式を用いて同様に計算すると、ＡＵＸ／ＶＩＮ端子９側からみたときの入力制御回路２１、映像処理回路２２及び音声処理回路２４まで含めた全体の入力インピーダンスＲｚ´は、７４．２５７[Ω]となって、この場合も７５[Ω]とほぼ変わらない。
【００７３】
このようにカーオーディオ装置２は、アナログ映像信号の受け側となる入力制御回路２１及び映像処理回路２２全体の入力インピーダンスＲｚ（７４．８１３[Ω]）に対して、インピーダンス整合用抵抗Ｒ１（７５[Ω]）と並列に接続された音声処理回路２４（１０[ＫΩ]）が実際には影響する。
【００７４】
しかしながらカーオーディオ装置２は、７４．８１３[Ω]＜＜１０[ＫΩ]であって、１０[ＫΩ]が無視できるレベルであるので、ＡＵＸ／ＶＩＮ端子９側からみたときの入力制御回路２１、映像処理回路２２及び音声処理回路２４まで含めた全体の入力インピーダンスＲｚ´が７４．２５７[Ω]となって、７５[Ω]とほぼ変わらないことになり、映像入力側が音声入力側の影響を受けることは殆どないようになされている。
【００７５】
［１−３．携帯型ディジタルプレーヤの回路構成］
図７に示すように携帯型ディジタルプレーヤ１００は、ＣＰＵ４０がフラッシュメモリ４１から読み出して起動した基本プログラムに従って全体を統括制御し、操作部１００Ａから供給される命令に応じて音楽や動画コンテンツの再生を行う。
【００７６】
例えば携帯型ディジタルプレーヤ１００のＣＰＵ４０は、音楽の再生命令が供給された場合、フラッシュメモリ４１に格納されているディジタルオーディオデータＤ１を読み出し、これをＵＳＢインタフェース４２からＵＳＢコネクタ１１を介してカーオーディオ装置２へ出力する。
【００７７】
一方、携帯型ディジタルプレーヤ１００のＣＰＵ４０は、動画コンテンツの再生命令が供給された場合、その映像部分についてはアナログ映像信号として映像出力インタフェース４３から映像用２極プラグ１２を介してカーオーディオ装置２へ出力する。
【００７８】
同時に携帯型ディジタルプレーヤ１００のＣＰＵ４０は、当該動画コンテンツの音声部分についてはディジタルオーディオデータとしてＵＳＢインタフェース４２からＵＳＢコネクタ１１を介してカーオーディオ装置２へ出力する。
【００７９】
［１−４．入力に応じた出力経路］
図８に示すように、カーオーディオ装置２では、ＡＵＸ／ＶＩＮ端子９に携帯型アナログオーディオプレーヤ２００の音声用３極プラグ１３だけが差し込まれた場合、入力制御回路２１のトランジスタＴｒ１をオフ動作させることにより、アナログオーディオ信号を音声用３極プラグ１３から音声処理回路２４経由でスピーカ２８へ出力する。
【００８０】
また図９に示すようにカーオーディオ装置２では、ＵＳＢ端子８に携帯型ディジタルプレーヤ１００のＵＳＢコネクタ１１だけが差し込まれた場合、入力制御回路２１のトランジスタＴｒ１とは無関係に、ディジタルオーディオデータＤ１をＵＳＢコネクタ１１からセレクタ２５経由でスピーカ２８へ出力する。
【００８１】
さらに図１０に示すようにカーオーディオ装置２では、ＵＳＢ端子８に携帯型ディジタルプレーヤ１００のＵＳＢコネクタ１１が差し込まれ、かつＡＵＸ／ＶＩＮ端子９に映像用２極プラグ１２が差し込まれた場合、入力制御回路２１のトランジスタＴｒ１をオン動作させる。
【００８２】
これによりカーオーディオ装置２は、映像用２極プラグ１２からのアナログ映像信号を入力制御回路２１及び映像処理回路２２経由でモニタ２３へ送出し、動画コンテンツの再生映像を表示することができる。
【００８３】
同時にカーオーディオ装置２では、ＵＳＢ端子８を介してＵＳＢコネクタ１１からのディジタルオーディオデータＤ１をセレクタ２５経由でスピーカ２８へ送出することにより、当該動画コンテンツの再生音声を出力することができる。
【００８４】
このようにカーオーディオ装置２では、携帯型アナログオーディオプレーヤ２００によるアナログオーディオ信号の再生出力、携帯型ディジタルプレーヤ１００による音楽再生時のディジタルオーディオデータの再生出力に加えて、動画コンテンツ再生時のアナログ映像信号の再生出力についても、一つのＡＵＸ／ＶＩＮ端子９を兼用して実現し得るようになされている。
【００８５】
［１−５．動作及び効果］
以上の構成において、カーオーディオ装置２では、入力制御回路２１に設けられたインピーダンス整合用抵抗Ｒ１（７５[Ω]）と、当該インピーダンス整合用抵抗Ｒ１に並列に設けられた映像処理回路２２及び音声処理回路２４の入力インピーダンス（３０[ＫΩ]、１０[ＫΩ]）との差が非常に大きいことを利用する。
【００８６】
これによりカーオーディオ装置２は、ＡＵＸ／ＶＩＮ端子９側からみたとき、入力制御回路２１、映像処理回路２２及び音声処理回路２４まで含めた全体の入力インピーダンスＲｚ´が７４．２５７[Ω]となり、ほぼ７５[Ω]と同じになる。
【００８７】
これによりカーオーディオ装置２は、ＡＵＸ／ＶＩＮ端子９に携帯型ディジタルプレーヤ１００の映像用２極プラグ１２が接続され、入力制御回路２１のトランジスタＴｒ１をオン動作させたときでも、映像用２極プラグ１２からアナログ映像信号が出力されるときの出力インピーダンスと、入力制御回路２１及び映像処理回路２２全体の入力インピーダンスＲｚとがマッチングする。
【００８８】
これによりカーオーディオ装置２では、ＡＵＸ／ＶＩＮ端子９を介して携帯型ディジタルプレーヤ１００の映像用２極プラグ１２からアナログ映像信号が供給されたときでも、当該アナログ映像信号の信号レベルが変動することなく画質を維持することができる。
【００８９】
またカーオーディオ装置２は、実際上、インピーダンス整合用抵抗Ｒ１（７５[Ω]）に対して映像処理回路２２（３０[ＫΩ]）に加え音声処理回路２４も並列に接続されているが、音声処理回路２４の入力インピーダンス（１０[ＫΩ]）が映像処理回路２２と同様非常に高いので、この場合も影響は殆どなくインピーダンス整合に不都合は生じない。
【００９０】
なおカーオーディオ装置２は、ＡＵＸ／ＶＩＮ端子９を介して携帯型アナログオーディオプレーヤ２００の音声用３極プラグ１３からアナログオーディオ信号が供給された場合、入力制御回路２１のトランジスタＴｒ１をオフ動作させ、これまで通り音声処理回路２４経由で音声出力することができる。
【００９１】
このようにカーオーディオ装置においては、ＡＵＸ／ＶＩＮ端子９を、携帯型アナログオーディオプレーヤ２００の音声用３極プラグ１３と、携帯型ディジタルプレーヤ１００の映像用２極プラグ１２との双方に対応できる兼用構造としたことにより汎用性が高くなった。
【００９２】
以上の構成によれば、カーオーディオシステム１におけるカーオーディオ装置２は、ＡＵＸ／ＶＩＮ端子９を携帯型アナログオーディオプレーヤ２００の音声用３極プラグ１３に対応するだけでなく、携帯型ディジタルプレーヤ１００の映像用２極プラグ１２にも対応し得るので、高い汎用性を有する。
【００９３】
かくしてカーオーディオシステム１のカーオーディオ装置２では、ユーザが携帯型ディジタルプレーヤ１００の映像用２極プラグ１２をＡＵＸ／ＶＩＮ端子９に差し込むだけで、何ら煩雑な操作をさせることなく、当該映像用２極プラグ１２からアナログ映像信号を取り込んでモニタ２８に映像出力することができる。
【００９４】
またカーオーディオ装置２は、ＡＵＸ／ＶＩＮ端子９からみた入力制御回路２１及び映像処理回路２２全体の入力インピーダンス（約７５[Ω]）に対して、並列接続されている音声処理回路２４の入力インピーダンス（１０[ＫΩ]）が非常に高く無視できるので、映像入力側が音声入力側の影響を受けずに済む。
【００９５】
更にカーオーディオ装置２は、映像用２極プラグ１２からのアナログ映像信号の出力先や、音声用３極プラグ１３からのアナログオーディオ信号の出力先を切り換えるためにアナログのスイッチ回路を用いるのではなく、接触抵抗のないトランジスタＴｒ１をスイッチング素子として用いることにより、アナログ映像信号の信号レベル変動を抑えて画質を劣化を防止することができる。
【００９６】
＜２．他の実施の形態＞
なお上述の実施の形態においては、ＮＰＮ型のトランジスタＴｒ１を用いるようにした場合について述べたが、本発明はこれに限らず、ＰＮＰ型のトランジスタを用いるようにしても良い。
【００９７】
また上述の実施の形態においては、ＵＳＢ端子８にＵＳＢコネクタ１１が接続されたことを検出すると、携帯型ディジタルプレーヤ１００が接続されたことを認識し、セレクタ２５の切り換え及びトランジスタＴｒ１のオンオフ動作を制御するようにした場合について述べた。しかしながら、本発明はこれに限らず、映像用２極プラグ１２から入力したアナログ映像信号の垂直同期信号を検出し、その検出の有無に応じてセレクタ２５の切り換え及びトランジスタＴｒ１のオンオフ動作を制御するようにしても良い。
【００９８】
さらに上述の実施の形態においては、ＵＳＢ端子８にＵＳＢコネクタ１１が接続されたことを検出すると、携帯型ディジタルプレーヤ１００が接続されたことを認識し、セレクタ２５の切り換え及びトランジスタＴｒ１のオンオフ動作を制御するようにした場合について述べた。しかしながら、本発明はこれに限らず、音声用３極プラグ１３の音声Ｒチャンネル端子１３Ｒと接続される接続線を監視することにより、映像用２極プラグ１２が接続されたとき、その接続線が音声Ｒチャンネル端子１３Ｒと接続されるのではなくグランドに落ちているので、そのことを検出したときにセレクタ２５の切り換え及びトランジスタＴｒ１のオンオフ動作を制御するようにしても良い。
【００９９】
さらに上述の実施の形態においては、車載機器としてのカーオーディオ装置２に対して携帯型ディジタルプレーヤ１００又は携帯型アナログオーディオプレーヤ２００を接続することにより車載機器システムとしてのカーオーディオシステム１を構築するようにした場合について述べた。しかしながら本発明はこれに限らず、ＵＳＢコネクタ１１、映像用２極プラグ１２、及び音声用３極プラグ１３を全て有する新たな携帯型ディジタルプレーヤを接続することにより車載機器システムとしてのカーオーディオシステムを構築するようにしても良い。
【０１００】
さらに上述の実施の形態においては、１ＤＩＮサイズに形成された本体部３Ａを有するカーオーディオ装置２を対象とするようにした場合について述べた。しかしながら本発明はこれに限らず、２ＤＩＮサイズ等のその他種々のサイズに形成された本体部３Ａを有するカーオーディオ装置を対象とするようにしても良い。
【０１０１】
さらに上述の実施の形態においては、スイッチング素子としてＮＰＮ型のトランジスタＴｒ１を用いるようにした場合について述べた。しかしながら本発明はこれに限らず、ＰＮＰ型のトランジスタを用いるようにしても良い。
【０１０２】
さらに上述の実施の形態においては、ＡＵＸ／ＶＩＮ端子９から映像信号処理回路２２へアナログ映像信号を伝送するための接続線路上ではないところにスイッチング素子としてトランジスタＴｒ１を設けるようにした場合について述べた。しかしながら、本発明はこれに限らず、トランジスタＴｒ１が設けられているのはアナログ映像信号を伝送するための接続線路上ではなく接触抵抗が直接影響することがないので、トランジスタＴｒ１に代えてリレーによるスイッチ回路を用いるようにしても良い。
【０１０３】
さらに上述の実施の形態においては、本体部としての本体部３Ａ、アナログ入力端子としてのＡＵＸ／ＶＩＮ端子９、映像処理回路としての映像処理回路２２、音声処理回路としての音声処理回路２４、インピーダンス整合用の抵抗としてのインピーダンス整合用抵抗Ｒ１、トランジスタとしてのトランジスタＴｒ１を有する入力制御回路としての入力制御回路２１、制御回路としてのマイコン３０によって本発明の車載機器としてのカーオーディオ装置２を構成するようにした場合について述べた。しかしながら本発明はこれに限らず、その他種々の構成でなる本体部、アナログ入力端子、映像処理回路、音声処理回路、インピーダンス整合用の抵抗及びトランジスタを有する入力制御回路、制御回路によって本発明の車載機器を構成するようにしても良い。
【産業上の利用可能性】
【０１０４】
本発明の車載機器及び車載機器システムは、例えばカーオーディオ装置２以外にも、アナログ映像信号を映像用２極プラグにより出力可能な構成を有する携帯電話機、ゲーム機、ＰＮＤ(Personal Navigation Device)等に適用することができる。
【符号の説明】
【０１０５】
１……カーオーディオシステム、２……カーオーディオ装置、３……フロントパネル、４……ロータリコマンダ、５……操作ボタン群、６……表示部、７……挿入口、８……ＵＳＢ端子、９……ＡＵＸ／ＶＩＮ端子、１１……ＵＳＢコネクタ、１２……映像用２極プラグ、１３……音声用３極プラグ、２１……入力制御回路、２２……映像処理回路、２３……モニタ、２４……音声処理回路、２５……セレクタ、２６……電子ボリューム、２７……アンプ、２８……スピーカ、３０……マイコン、３２……ＤＳＰ、３３……ディジタルアナログコンバータ、Ｒ１……インピーダンス整合用抵抗、Ｒ２……ベース抵抗、Ｒ３……抵抗、Ｔｒ１……トランジスタ、４０……ＣＰＵ、４１……フラッシュメモリ、４２……ＵＳＢインタフェース、４３……映像出力インタフェース、１００Ａ……操作部、１００Ｂ……表示部。
【図１】
2011098662.tif 000003
【図２】
2011098662.tif 000004
【図３】
2011098662.tif 000005
【図４】
2011098662.tif 000006
【図５】
2011098662.tif 000007
【図６】
2011098662.tif 000008
【図７】
2011098662.tif 000009
【図８】
2011098662.tif 000010
【図９】
2011098662.tif 000011
【図１０】
2011098662.tif 000012